【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
マシン−マシン（Ｍ２Ｍ）無線ワイドエリアネットワーク（ＷＡＮ）における無線通信のための方法であって、
前記Ｍ２Ｍ無線ＷＡＮの動作周波数帯域を少なくとも第１の周波数チャネル及び第２の周波数チャネルに分割することであって、前記第１及び第２の周波数チャネルは、逆方向リンクでの通信のために使用されることと、
第１のチャネル状態情報及び第２のチャネル状態情報を１つ以上のＭ２Ｍデバイスに基地局によってブロードキャストすることであって、前記第１のチャネル状態情報は、前記第１の周波数チャネルのアイドル状態を示し、前記第２のチャネル状態情報は、前記第２の周波数チャネルの状態を示すことと、
前記逆方向リンクでデータを送信するために前記第１の周波数チャネルを使用することを求めるＭ２Ｍデバイスからの要求を前記基地局によって受信することと、
前記要求に応じてビジー状態を示すために前記第１のチャネル状態情報を前記アイドル状態から前記基地局によって移行させることと、
を備える、方法。
【請求項２】
前記状態は、前記アイドル状態又は前記ビジー状態を備える請求項１に記載の方法。
【請求項３】
前記Ｍ２Ｍデバイスに前記第１の周波数チャネルを割り当てることをさらに備える請求項１に記載の方法。
【請求項４】
前記第１の周波数チャネルを割り当てることは、
前記１つ以上のＭ２Ｍデバイスに前記移行された第１のチャネル状態情報をブロードキャストすることを備える請求項３に記載の方法。
【請求項５】
前記第１の周波数チャネルで前記Ｍ２Ｍデバイスからデータを受信することであって、前記第１の周波数チャネルは、前記ビジー状態を有することと、
前記Ｍ２Ｍデバイスから受信された前記データを復号した時点で、前記第１の周波数チャネルに関する前記アイドル状態を示すために前記第１のチャネル状態情報を前記ビジー状態から移行させることと、
前記１つ以上のＭ２Ｍデバイスに前記移行された第１のチャネル状態情報をブロードキャストすることと、
をさらに備える請求項３に記載の方法。
【請求項６】
前記逆方向リンクでデータを送信するために前記第１の周波数チャネルを使用することを求める要求を少なくとも第２のＭ２Ｍデバイスから受信することであって、ここにおいて、少なくとも２つのデバイスは前記逆方向リンクでデータを送信するために前記第１の周波数チャネルを使用することを要求しており、前記第１の周波数チャネルは、前記アイドル状態を有することと、
前記少なくとも２つのＭ２Ｍデバイスのうちの１つを選択することと、
前記Ｍ２Ｍデバイスのうちの前記選択された１つに前記第１の周波数チャネルを割り当てることと、
をさらに備える請求項１に記載の方法。
【請求項７】
前記少なくとも２つのＭ２Ｍデバイスのうちの１つを選択することは、
前記少なくとも２つのＭ２Ｍデバイスのうちの各々から受信された前記逆方向リンクの強度を推定することと、
前記選択されたＭ２Ｍデバイスから受信された前記逆方向リンクの少なくとも前記推定された強度に部分的に基づいて前記少なくとも２つのＭ２Ｍデバイスのうちの前記１つを選択することと、
を備える、または、前記少なくとも２つのＭ２Ｍデバイスのうちの１つを選択することは、
前記少なくとも２つのＭ２Ｍデバイスのうちで直近において前記逆方向リンクでデータを送信した前記Ｍ２Ｍデバイスを識別することと、
前記少なくとも２つのＭ２Ｍデバイスのうちで直近において前記逆方向リンクでデータを送信した前記１つを選択することと、
を備える、および／または、前記第１の周波数チャネルを割り当てることは、
前記ビジー状態を示すために前記第１のチャネル状態情報を前記アイドル状態から移行させることと、
前記選択されたＭ２Ｍデバイスを識別する割り当てメッセージを生成することと、
前記少なくとも２つのＭ２Ｍデバイスに前記移行された第１のチャネル状態情報及び前記割り当てメッセージをブロードキャストすることと、
を備える請求項６に記載の方法。
【請求項８】
Ｍ２Ｍデバイスの第１のグループを識別することであって、Ｍ２Ｍデバイスの前記第１のグループは、第１のデータレートで順方向リンクでデータを受信することと、
Ｍ２Ｍデバイスの第２のグループを識別することであって、Ｍ２Ｍデバイスの前記第２のグループは、第２のデータレートで前記順方向リンクでデータを受信し、前記第２のデータレートは、前記第１のデータレートよりも大きいことと、
Ｍ２Ｍデバイスの第３のグループを識別することであって、Ｍ２Ｍデバイスの前記第３のグループは、第３のデータレートで前記順方向リンクでデータを受信し、前記第３のデータレートは、前記第２のデータレートよりも大きいことと、
をさらに備え、好ましくは、
周波数チャネルの第１のグループに関するチャネル状態情報を前記第１のデータレートでＭ２Ｍデバイスの前記第１のグループにブロードキャストすることであって、前記チャネル状態情報は、第１の順方向リンクフレームの第１のタイムスロットの少なくとも一部分中に送信されることをさらに備える、および／または、
周波数チャネルの第２のグループに関するチャネル状態情報を前記第２のデータレートでＭ２Ｍデバイスの前記第２のグループにブロードキャストすることであって、前記チャネル状態情報は、第２の順方向リンクフレームの第１のタイムスロットの少なくとも一部分中に送信されることをさらに備える、および／または、
周波数チャネルの第３のグループに関するチャネル状態情報を前記第３のデータレートでＭ２Ｍデバイスの前記第３のグループにブロードキャストすることであって、前記チャネル状態情報は、第３の順方向リンクフレームの第１のタイムスロットの少なくとも一部分中に送信されることをさらに備える請求項１に記載の方法。
【請求項９】
前記第１及び第２の周波数チャネルを用いての前記逆方向リンクでの通信のために周波数分割多元接続（ＦＤＭＡ）を実装することをさらに備える請求項１に記載の方法。
【請求項１０】
マシン−マシン（Ｍ２Ｍ）無線ワイドエリアネットワーク（ＷＡＮ）における逆方向リンクでの無線通信のために構成された装置であって、
前記Ｍ２Ｍ無線ＷＡＮの動作周波数帯域を少なくとも第１の周波数チャネル及び第２の周波数チャネルに分割するための手段であって、前記第１及び第２の周波数チャネルは、前記逆方向リンクでの通信のために使用される手段と、
第１のチャネル状態情報及び第２のチャネル状態情報を１つ以上のＭ２Ｍデバイスにブロードキャストするための手段であって、前記第１のチャネル状態情報は、前記第１の周波数チャネルのアイドル状態を示し、前記第２のチャネル状態情報は、前記第２の周波数チャネルの状態を示す手段と、
前記逆方向リンクでデータを送信するために前記第１の周波数チャネルを使用することを求めるＭ２Ｍデバイスからの要求を受信するための手段と、
前記要求に応じてビジー状態を示すために前記第１のチャネル状態情報を前記アイドル状態から移行するための手段と
を備える、装置。
【請求項１１】
マシン−マシン（Ｍ２Ｍ）無線ワイドエリアネットワーク（ＷＡＮ）における逆方向リンクでの無線通信のための方法であって、
基地局からチャネル状態メッセージの第１のブロードキャストをＭ２Ｍデバイスによって受信することであって、前記チャネル状態メッセージは第１の周波数チャネルの状態と第２の周波数チャネルの状態を示すことと、ここにおいて、前記第１の周波数チャネルはアイドル状態を有し、
前記逆方向リンクでデータを送信するために前記第１の周波数チャネルを使用することを求める要求を前記Ｍ２Ｍデバイスによって送信することと、
前記基地局から前記チャネル状態メッセージの第２のブロードキャストを前記Ｍ２Ｍデバイスによって受信することであって、前記チャネル状態メッセージは、前記第１の周波数チャネルの前記状態と前記第２の周波数チャネルの前記状態を示すことと、ここにおいて、前記第１の周波数チャネルの前記状態は前記アイドル状態からビジー状態へ移行したものである、
前記第１の周波数チャネルの前記状態に少なくとも部分的に基づいてデータパケットを送信するために前記第１の周波数チャネルを使用すべきかどうかを決定することと、
を備える、方法。
【請求項１２】
前記第１の周波数チャネルを使用すべきかどうかを決定することは、
前記第１の周波数チャネルの前記状態が前記アイドル状態から前記ビジー状態に移行しているかどうかを決定することと、
前記状態が前記ビジー状態に移行していると決定した時点で、前記第１の周波数チャネルを用いて前記データパケットを送信することと、
を備える、または、前記第１の周波数チャネルを使用すべきかどうかを決定することは、
チャネル割り当て情報を受信することであって、前記チャネル割り当て情報は、前記第１の周波数チャネルの明示の割り当てを備えることと、
前記チャネル割り当て情報に少なくとも部分的に基づいて前記第１の周波数チャネルを用いて前記データパケットを送信することと、
を備える請求項１１に記載の方法。
【請求項１３】
前記チャネル状態メッセージの第３のブロードキャストを受信することであって、前記チャネル状態メッセージは、前記ビジー状態から前記アイドル状態への前記第１の周波数チャネルの前記状態の移行を示すことと、
前記第１の周波数チャネルの前記状態の前記移行を示す前記第３のブロードキャストを受信した時点で、前記第１の周波数チャネルを用いての前記逆方向リンクでの前記データの送信を終了させることと、
をさらに備える請求項１１に記載の方法。
【請求項１４】
前記第１の周波数チャネルを使用することを求める前記要求を送信することは、
前記データパケットのプリアンブルを送信することを備える請求項１１に記載の方法。
【請求項１５】
請求項１−９、または１−１４のいずれかの前記方法を行うためにプロセッサによって実行可能である命令を格納する非一時的なコンピュータによって読み取り可能な媒体。